(57)【要約】【課題】簡単に所望の減衰量を得ることができる可変減衰器を得ることを目的とする。【解決手段】スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成する。これにより、スイッチ６ａ，７ａ及び並列スイッチ８〜１１を適宜切り換えるだけで、所望の減衰量を得ることができる。【選択図】図１
2008206129.tif 000002
【特許請求の範囲】
【請求項１】
第１の入出力端子と第２の入出力端子の間に接続された直列抵抗と、一端が上記第１の入出力端子と接続され、他端が接地された第１の並列抵抗と、一端が上記第２の入出力端子と接続され、他端が接地された第２の並列抵抗と、上記直列抵抗と並列に接続され、スイッチと抵抗が直列に接続されている少なくとも１つ以上の直列スイッチ抵抗と、一端が上記第１の並列抵抗の途中に接続され、他端が接地された少なくとも１つ以上の第１の並列スイッチと、一端が上記第２の並列抵抗の途中に接続され、他端が接地された少なくとも１つ以上の第２の並列スイッチとを備えた可変減衰器。
【請求項２】
一端が第１の入出力端子と接続された第１の直列抵抗と、一端が上記第１の直列抵抗の他端と接続され、他端が第２の入出力端子と接続された第２の直列抵抗と、一端が上記第１の直列抵抗の他端と接続され、他端が接地された並列抵抗と、上記第１の直列抵抗と並列に接続され、スイッチと抵抗が直列に接続されている少なくとも１つ以上の第１の直列スイッチ抵抗と、上記第２の直列抵抗と並列に接続され、スイッチと抵抗が直列に接続されている少なくとも１つ以上の第２の直列スイッチ抵抗と、一端が上記並列抵抗の途中に接続され、他端が接地された少なくとも１つ以上の並列スイッチとを備えた可変減衰器。
【請求項３】
直列スイッチ抵抗を構成するスイッチ及び並列スイッチが電界効果トランジスタであることを特徴とする請求項１または請求項２記載の可変減衰器。
【請求項４】
電界効果トランジスタにインダクタが並列に接続されていることを特徴とする請求項３記載の可変減衰器。
【請求項５】
正の温度勾配を有するバイアス回路が直列スイッチ抵抗を構成する電界効果トランジスタのゲートに接続され、負の温度勾配を有するバイアス回路が並列スイッチである電界効果トランジスタのゲートに接続されていることを特徴とする請求項３または請求項４記載の可変減衰器。
【請求項６】
正の温度勾配を有するバイアス回路は、一端が固定電圧源と接続された第１の固定抵抗と、カソードが上記第１の固定抵抗の他端と接続され、アノードが接地されたダイオードと、一端が上記第１の固定抵抗の他端と接続され、他端が直列スイッチ抵抗を構成する電界効果トランジスタのゲートと接続された第２の固定抵抗とから構成されていることを特徴とする請求項５記載の可変減衰器。
【請求項７】
負の温度勾配を有するバイアス回路は、カソードが固定電圧源と接続されたダイオードと、一端が上記ダイオードのアノードと接続され、他端が接地された第１の固定抵抗と、一端が上記ダイオードのアノードと接続され、他端が並列スイッチである電界効果トランジスタのゲートと接続された第２の固定抵抗とから構成されていることを特徴とする請求項５記載の可変減衰器。
【請求項８】
正の温度勾配を有するバイアス回路は、一端が第１の固定電圧源と接続された第１の固定抵抗と、カソードが上記第１の固定抵抗の他端と接続され、アノードが第２の固定電圧源と接続されたダイオードと、一端が上記第１の固定抵抗の他端と接続され、他端が直列スイッチ抵抗を構成する電界効果トランジスタのゲートと接続された第２の固定抵抗とから構成されていることを特徴とする請求項５記載の可変減衰器。
【請求項９】
負の温度勾配を有するバイアス回路は、カソードが固定電圧源と接続されたダイオードと、一端が上記ダイオードのアノードと接続され、他端が第２の固定電圧源と接続された第１の固定抵抗と、一端が上記ダイオードのアノードと接続され、他端が並列スイッチである電界効果トランジスタのゲートと接続された第２の固定抵抗とから構成されていることを特徴とする請求項５記載の可変減衰器。
【請求項１０】
ダイオードが少なくとも２つ以上直列に接続されていることを特徴とする請求項６から請求項９のうちのいずれか１項記載の可変減衰器。
【請求項１１】
少なくとも１つ以上の直列スイッチ抵抗が、スイッチ、抵抗及びキャパシタの直列回路から構成されていることを特徴とする請求項１または請求項２記載の可変減衰器。
【請求項１２】
並列抵抗が、抵抗とインダクタの直列回路から構成されていることを特徴とする請求項１１記載の可変減衰器。
【請求項１３】
少なくとも１つ以上の直列スイッチ抵抗が、スイッチ、抵抗及びインダクタの直列回路から構成されていることを特徴とする請求項１または請求項２記載の可変減衰器。
【請求項１４】
並列抵抗が、抵抗とキャパシタの直列回路から構成されていることを特徴とする請求項１３記載の可変減衰器。
【発明の詳細な説明】
【技術分野】
【０００１】
この発明は、所望の減衰量を得ることができる可変減衰器に関するものである。
【背景技術】
【０００２】
従来の可変減衰器は、入力端子と出力端子の間に、ダイオードＰ１，Ｐ２，Ｐ３を直並列に接続し、バイアス電圧Ｖ１を調整することにより、ダイオードＰ１，Ｐ２，Ｐ３が呈する抵抗値を可変にして、所望の減衰量を得るようにしている（例えば、特許文献１を参照）。
【０００３】
【特許文献１】特開平９−２３１２９号公報（段落番号［００２６］から［００３３］、図１）
【発明の開示】
【発明が解決しようとする課題】
【０００４】
従来の可変減衰器は以上のように構成されているので、バイアス電圧Ｖ１を調整すれば、ダイオードＰ１，Ｐ２，Ｐ３が呈する抵抗値を可変にして、所望の減衰量を得ることができる。しかし、ダイオードＰ１，Ｐ２，Ｐ３が呈する抵抗値がバイアス電圧Ｖ１の変化によって急峻に変化するため、所望の減衰量を得るには、バイアス電圧Ｖ１を高精度に調整する必要があり、容易に所望の減衰量を得ることができないなどの課題があった。
【０００５】
この発明は上記のような課題を解決するためになされたもので、簡単に所望の減衰量を得ることができる可変減衰器を得ることを目的とする。
【課題を解決するための手段】
【０００６】
この発明に係る可変減衰器は、スイッチと抵抗が直列に接続されている直列スイッチ抵抗を直列抵抗と並列に少なくとも１つ以上接続するとともに、第１及び第２の並列抵抗の途中に第１及び第２の並列スイッチを少なくとも１つ以上接続するようにしたものである。
【発明の効果】
【０００７】
この発明によれば、スイッチと抵抗が直列に接続されている直列スイッチ抵抗を直列抵抗と並列に少なくとも１つ以上接続するとともに、第１及び第２の並列抵抗の途中に第１及び第２の並列スイッチを少なくとも１つ以上接続するように構成したので、スイッチを適宜切り換えるだけで、所望の減衰量を得ることができる効果がある。
【発明を実施するための最良の形態】
【０００８】
実施の形態１．
図１はこの発明の実施の形態１による可変減衰器を示す構成図であり、図において、入出力端子１は入力信号を直列抵抗３を介して入出力端子２に出力する一方、入出力端子２から入力された信号を出力する端子であり、第１の入出力端子を構成している。
入出力端子２は入力信号を直列抵抗３を介して入出力端子１に出力する一方、入出力端子１から入力された信号を出力する端子であり、第２の入出力端子を構成している。
直列抵抗３は入出力端子１と入出力端子２の間に接続されている抵抗である。
【０００９】
並列抵抗４は抵抗４ａ，４ｂ，４ｃから構成されており、一端が入出力端子１と接続され、他端がグランドと接続されている。なお、並列抵抗４は第１の並列抵抗を構成している。
並列抵抗５は抵抗５ａ，５ｂ，５ｃから構成されており、一端が入出力端子２と接続され、他端がグランドと接続されている。なお、並列抵抗５は第２の並列抵抗を構成している。
直列スイッチ抵抗６はスイッチ６ａと抵抗６ｂの直列回路であり、直列抵抗３と並列に接続されている。
直列スイッチ抵抗７はスイッチ７ａと抵抗７ｂの直列回路であり、直列抵抗３と並列に接続されている。
【００１０】
並列スイッチ８は一端が並列抵抗４を構成している抵抗４ａと抵抗４ｂの間に接続され、他端がグランドと接続されている。
並列スイッチ９は一端が並列抵抗４を構成している抵抗４ｂと抵抗４ｃの間に接続され、他端がグランドと接続されている。
なお、並列スイッチ８，９は第１の並列スイッチを構成している。
【００１１】
並列スイッチ１０は一端が並列抵抗５を構成している抵抗５ａと抵抗５ｂの間に接続され、他端がグランドと接続されている。
並列スイッチ１１は一端が並列抵抗５を構成している抵抗５ｂと抵抗５ｃの間に接続され、他端がグランドと接続されている。
なお、並列スイッチ１０，１１は第２の並列スイッチを構成している。
【００１２】
次に動作について説明する。
直列スイッチ抵抗６，７は、スイッチ６ａ，７ａがオンしている状態では、有限の抵抗値を呈する抵抗として動作する。
一方、スイッチ６ａ，７ａがオフしている状態では、無限大の抵抗値を呈する抵抗として動作する。
図１の可変減衰器は、直列スイッチ抵抗６，７におけるスイッチ６ａ，７ａの開閉状態に応じて、３つの状態を有する。
【００１３】
可変減衰器の第１の状態は、図２に示すように、スイッチ６ａ，７ａがオフ、並列スイッチ８，１０がオンしている状態である。ただし、並列スイッチ９，１１についてはオンしている状態であってもオフしている状態であってもよい。
第１の状態では、入出力端子１と入出力端子２間の直列抵抗の抵抗値が、直列抵抗３の抵抗値となり、減衰量が最大になる。
なお、第１の状態では、並列抵抗４における抵抗４ａの他端の位置で接地され、また、並列抵抗５における抵抗５ａの他端の位置で接地される。
【００１４】
可変減衰器の第２の状態は、図３に示すように、スイッチ６ａがオン，スイッチ７ａがオフ、並列スイッチ８，１０がオフ、並列スイッチ９，１１がオンしている状態である。
第２の状態では、入出力端子１と入出力端子２間の直列抵抗の抵抗値が、直列スイッチ抵抗６における抵抗６ｂと直列抵抗３の並列抵抗値となり、減衰量が第１の状態と比べて低くなる。
なお、第２の状態では、並列抵抗４における抵抗４ｂの他端の位置で接地され、また、並列抵抗５における抵抗５ｂの他端の位置で接地される。
【００１５】
可変減衰器の第３の状態は、図４に示すように、スイッチ６ａ，７ａがオン、並列スイッチ８〜１１がオフしている状態である。
第３の状態では、入出力端子１と入出力端子２間の直列抵抗の抵抗値が、直列スイッチ抵抗６における抵抗６ｂと、直列スイッチ抵抗７における抵抗７ｂと、直列抵抗３との並列抵抗値となり、減衰量が最小になる。
なお、第３の状態では、並列抵抗４における抵抗４ｃの他端の位置で接地され、また、並列抵抗５における抵抗５ｃの他端の位置で接地される。
【００１６】
以上で明らかなように、この実施の形態１によれば、スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成したので、スイッチ６ａ，７ａ及び並列スイッチ８〜１１を適宜切り換えるだけで、所望の減衰量を得ることができる効果を奏する。
【００１７】
なお、この実施の形態１では、直列抵抗３と並列に接続する直列スイッチ抵抗の個数が２つであり、並列抵抗４，５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００１８】
実施の形態２．
図５はこの発明の実施の形態２による可変減衰器を示す構成図であり、図において、入出力端子２１は入力信号を直列抵抗２３，２４を介して入出力端子２２に出力する一方、入出力端子２２から入力された信号を出力する端子であり、第１の入出力端子を構成している。
入出力端子２２は入力信号を直列抵抗２４，２３を介して入出力端子２１に出力する一方、入出力端子２１から入力された信号を出力する端子であり、第２の入出力端子を構成している。
【００１９】
直列抵抗２３は一端が入出力端子１１と接続されている抵抗であり、第１の直列抵抗を構成している。
直列抵抗２４は一端が直列抵抗２３の他端と接続され、他端が入出力端子２２と接続されている抵抗であり、第２の直列抵抗を構成している。
並列抵抗２５は抵抗２５ａ，２５ｂ，２５ｃから構成されており、一端が直列抵抗２３の他端と接続され、他端がグランドと接続されている。
【００２０】
直列スイッチ抵抗２６はスイッチ２６ａと抵抗２６ｂの直列回路であり、直列抵抗２３と並列に接続されている。
直列スイッチ抵抗２７はスイッチ２７ａと抵抗２７ｂの直列回路であり、直列抵抗２３と並列に接続されている。
なお、直列スイッチ抵抗２６，２７は第１の直列スイッチ抵抗を構成している。
【００２１】
直列スイッチ抵抗２８はスイッチ２８ａと抵抗２８ｂの直列回路であり、直列抵抗２４と並列に接続されている。
直列スイッチ抵抗２９はスイッチ２９ａと抵抗２９ｂの直列回路であり、直列抵抗２４と並列に接続されている。
なお、直列スイッチ抵抗２８，２９は第２の直列スイッチ抵抗を構成している。
【００２２】
並列スイッチ３０は一端が並列抵抗２５を構成している抵抗２５ａと抵抗２５ｂの間に接続され、他端がグランドと接続されている。
並列スイッチ３１は一端が並列抵抗２５を構成している抵抗２５ｂと抵抗２５ｃの間に接続され、他端がグランドと接続されている。
【００２３】
次に動作について説明する。
図５の可変減衰器は、直列スイッチ抵抗２６〜２９におけるスイッチ２６ａ，２７ａ，２８ａ，２９ａの開閉状態に応じて、３つの状態を有する。
【００２４】
可変減衰器の第１の状態は、図６に示すように、スイッチ２６ａ，２７ａ，２８ａ，２９ａがオフ、並列スイッチ３０がオンしている状態である。ただし、並列スイッチ３１についてはオンしている状態であってもオフしている状態であってもよい。
第１の状態では、入出力端子２１と入出力端子２２間の直列抵抗の抵抗値が、直列抵抗２３の抵抗値と直列抵抗２４の抵抗値との和になり、減衰量が最大になる。
なお、第１の状態では、並列抵抗２５における抵抗２５ａの他端の位置で接地される。
【００２５】
可変減衰器の第２の状態は、図７に示すように、スイッチ２６ａ，２８ａがオン、スイッチ２７ａ，２９ａがオフ、並列スイッチ３０がオフ、並列スイッチ３１がオンしている状態である。
第２の状態では、入出力端子２１と入出力端子２２間の直列抵抗の抵抗値が、直列スイッチ抵抗２６における抵抗２６ｂと直列抵抗２３の並列抵抗値と、直列スイッチ抵抗２８における抵抗２８ｂと直列抵抗２４の並列抵抗値との和になり、減衰量が第１の状態と比べて低くなる。
なお、第２の状態では、並列抵抗２５における抵抗２５ｂの他端の位置で接地される。
【００２６】
可変減衰器の第３の状態は、図８に示すように、スイッチ２６ａ，２７ａ，２８ａ，２９ａがオン、並列スイッチ３０，３１がオフしている状態である。
第３の状態では、入出力端子２１と入出力端子２２間の直列抵抗の抵抗値が、直列スイッチ抵抗２６における抵抗２６ｂ、直列スイッチ抵抗２７における抵抗２７ｂ及び直列抵抗２３の並列抵抗値と、直列スイッチ抵抗２８における抵抗２８ｂ、直列スイッチ抵抗２９における抵抗２９ｂ及び直列抵抗２４の並列抵抗値との和になり、減衰量が最小になる。
なお、第３の状態では、並列抵抗２５における抵抗２５ｃの他端の位置で接地される。
【００２７】
以上で明らかなように、この実施の形態２によれば、スイッチ２６ａと抵抗２６ｂが直列に接続されている直列スイッチ抵抗２６と、スイッチ２７ａと抵抗２７ｂが直列に接続されている直列スイッチ抵抗２７とを直列抵抗２３と並列に接続するとともに、スイッチ２８ａと抵抗２８ｂが直列に接続されている直列スイッチ抵抗２８と、スイッチ２９ａと抵抗２９ｂが直列に接続されている直列スイッチ抵抗２９とを直列抵抗２４と並列に接続し、また、並列抵抗２５の途中に並列スイッチ３０，３１を接続するように構成したので、スイッチ２６ａ，２７ａ，２８ａ，２９ａ及び並列スイッチ３０，３１を適宜切り換えるだけで、所望の減衰量を得ることができる効果を奏する。
【００２８】
なお、この実施の形態２では、直列抵抗２３，２４と並列に接続する直列スイッチ抵抗の個数が２つであり、並列抵抗２５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００２９】
実施の形態３．
図９はこの発明の実施の形態３による可変減衰器を示す構成図であり、図において、図１と同一符号は同一または相当部分を示すので説明を省略する。
電界効果トランジスタ（以下、「ＦＥＴ」と称する）６ｃはドレイン端子（またはソース端子）が入出力端子１と接続され、かつ、ソース端子（またはドレイン端子）が抵抗６ｂと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３０】
ＦＥＴ７ｃはドレイン端子（またはソース端子）が入出力端子１と接続され、かつ、ソース端子（またはドレイン端子）が抵抗７ｂと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３１】
ＦＥＴ８ａはドレイン端子（またはソース端子）が抵抗４ａと抵抗４ｂの間に接続され、かつ、ソース端子（またはドレイン端子）がグランドと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３２】
ＦＥＴ９ａはドレイン端子（またはソース端子）が抵抗４ｂと抵抗４ｃの間に接続され、かつ、ソース端子（またはドレイン端子）がグランドと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３３】
ＦＥＴ１０ａはドレイン端子（またはソース端子）が抵抗５ａと抵抗５ｂの間に接続され、かつ、ソース端子（またはドレイン端子）がグランドと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３４】
ＦＥＴ１１ａはドレイン端子（またはソース端子）が抵抗５ｂと抵抗５ｃの間に接続され、かつ、ソース端子（またはドレイン端子）がグランドと接続されており、ドレイン電圧及びソース電圧と同電位の電圧が制御信号端子であるゲートに印加されると、オン状態になることによって、高周波において等価的に抵抗とみなされるオン抵抗になり、また、ピンチオフ電圧以下の直流信号がゲートに印加されると、オフ状態になることによって、高周波において等価的に容量とみなされるオフ容量になる。
【００３５】
上記実施の形態１では、直列スイッチ抵抗６，７におけるスイッチ６ａ，７ａと並列スイッチ８〜１１を切り換えることにより、所望の減衰量を実現するものについて示したが、スイッチ６ａ，７ａ及び並列スイッチ８〜１１の代わりに、ＦＥＴ６ｃ，７ｃ，８ａ〜１１ａを実装し、ＦＥＴ６ｃ，７ｃ，８ａ〜１１ａをオン抵抗又はオフ容量になるように状態を切り換えることにより、所望の減衰量を実現するようにしてもよい。
【００３６】
即ち、ＦＥＴ６ｃ，７ｃ，８ａ〜１１ａのゲートに、ドレイン電圧及びソース電圧と同電位の電圧を印加すれば、ＦＥＴ６ｃ，７ｃ，８ａ〜１１ａが高周波的にオン抵抗になり、スイッチ６ａ，７ａ及び並列スイッチ８〜１１のオン状態と同等になる。
一方、ＦＥＴ６ｃ，７ｃ，８ａ〜１１ａのゲートに、ピンチオフ電圧以下の直流信号を印加すれば、ＦＥＴ６ｃ，７ｃ，８ａ〜１１ａが高周波的にオフ容量になり、スイッチ６ａ，７ａ及び並列スイッチ８〜１１のオフ状態と同等になる。
したがって、ＦＥＴ６ｃ，７ｃ，８ａ〜１１ａのゲートに印加する電圧を適宜切り換えれば、図１の可変減衰器と同様に、３つの状態を有することができる。
【００３７】
この実施の形態３によれば、スイッチ６ａ，７ａ及び並列スイッチ８〜１１の代わりに、ＦＥＴ６ｃ，７ｃ，８ａ〜１１ａを実装するように構成したので、精度の高い調整を行うことなく、所望の減衰量を得ることができる効果を奏する。
即ち、ＦＥＴ６ｃ，７ｃ，８ａ〜１１ａが呈する抵抗値は急峻に変化することがあるが、その抵抗値が抵抗６ｂ，７ｂの抵抗値と比べて無視できる程度に小さいため、抵抗値の急峻な変化が直接減衰器の減衰量に影響しない。このため、精度の高い調整を行うことなく、所望の減衰量を得ることができる。
【００３８】
実施の形態４．
上記実施の形態３では、図１の可変減衰器のスイッチ６ａ，７ａ及び並列スイッチ８〜１１の代わりに、ＦＥＴ６ｃ，７ｃ，８ａ〜１１ａを実装するものについて示したが、図１０に示すように、図５の可変減衰器のスイッチ２６ａ〜２９ａ及び並列スイッチ３０，３１の代わりに、ＦＥＴ２６ｃ〜２９ｃ，３０ａ，３１ａを実装するようにしてもよく、上記実施の形態３と同様の効果を奏することができる。
【００３９】
実施の形態５．
図１１はこの発明の実施の形態５による可変減衰器を示す構成図であり、図において、図９と同一符号は同一または相当部分を示すので説明を省略する。
インダクタ６ｄ，７ｄはＦＥＴ６ｃ，７ｃと並列に接続されている。
インダクタ８ｂ〜１１ｂはＦＥＴ８ａ〜１１ａと並列に接続されている。
【００４０】
上記実施の形態３では、図１の可変減衰器のスイッチ６ａ，７ａ及び並列スイッチ８〜１１の代わりに、ＦＥＴ６ｃ，７ｃ，８ａ〜１１ａを実装するものについて示したが、ＦＥＴ６ｃ，７ｃと並列にインダクタ６ｄ，７ｄを接続し、ＦＥＴ８ａ〜１１ａと並列にインダクタ８ｂ〜１１ｂを接続するようにしてもよい。
このように、インダクタ６ｄ，７ｄ，８ｂ〜１１ｂをＦＥＴ６ｃ，７ｃ，８ａ〜１１ａと並列に接続することにより、インダクタ６ｄ，７ｄ，８ｂ〜１１ｂがＦＥＴ６ｃ，７ｃ，８ａ〜１１ａが呈するオフ容量と並列共振するようになり、ＦＥＴ６ｃ，７ｃ，８ａ〜１１ａが理想的な遮断状態（オフ状態）に成り得るスイッチを構築することができる。
これにより、可変減衰器が高い減衰量を得ることができる効果を奏する。
【００４１】
実施の形態６．
上記実施の形態５では、図９の可変減衰器のＦＥＴ６ｃ，７ｃ，８ａ〜１１ａと並列にインダクタ６ｄ，７ｄ，８ｂ〜１１ｂを接続するものについて示したが、図１２に示すように、図１０の可変減衰器のＦＥＴ２６ｃ〜２９ｃ，３０ａ，３１ａと並列にインダクタ２６ｄ〜２９ｄ，３０ｂ，３１ｂを接続するようにしてもよく、上記実施の形態５と同様の効果を奏することができる。
【００４２】
実施の形態７．
図１３はこの発明の実施の形態７による可変減衰器を示す構成図であり、図において、図１１と同一符号は同一または相当部分を示すので説明を省略する。
バイアス回路４１は正の温度勾配を有しており、直列スイッチ抵抗６を構成するＦＥＴ６ｃのゲートにバイアス電圧を印加する。
固定電圧源４１ａは固定電圧を供給する電源である。
第１の固定抵抗４１ｂは一端が固定電圧源４１ａと接続されている。
ダイオード４１ｃはカソードが第１の固定抵抗４１ｂの他端と接続され、アノードがグランドと接続されている。
第２の固定抵抗４１ｄは一端が第１の固定抵抗４１ｂの他端と接続され、他端が直列スイッチ抵抗６を構成するＦＥＴ６ｃのゲートと接続されている。
【００４３】
バイアス回路４２は正の温度勾配を有しており、直列スイッチ抵抗７を構成するＦＥＴ７ｃのゲートにバイアス電圧を印加する。
固定電圧源４２ａは固定電圧を供給する電源である。
第１の固定抵抗４２ｂは一端が固定電圧源４２ａと接続されている。
ダイオード４２ｃはカソードが第１の固定抵抗４２ｂの他端と接続され、アノードがグランドと接続されている。
第２の固定抵抗４２ｄは一端が第１の固定抵抗４２ｂの他端と接続され、他端が直列スイッチ抵抗７を構成するＦＥＴ７ｃのゲートと接続されている。
【００４４】
バイアス回路４３は負の温度勾配を有しており、ＦＥＴ８ａ，１０ａのゲートにバイアス電圧を印加する。
固定電圧源４３ａは固定電圧を供給する電源である。
ダイオード４３ｂはカソードが固定電圧源４３ａと接続されている。
第１の固定抵抗４３ｃは一端がダイオード４３ｂのアノードと接続され、他端がグランドと接続されている。
第２の固定抵抗４３ｄは一端がダイオード４３ｂのアノードと接続され、他端がＦＥＴ８ａ，１０ａのゲートと接続されている。
【００４５】
バイアス回路４４は負の温度勾配を有しており、ＦＥＴ９ａ，１１ａのゲートにバイアス電圧を印加する。
固定電圧源４４ａは固定電圧を供給する電源である。
ダイオード４４ｂはカソードが固定電圧源４４ａと接続されている。
第１の固定抵抗４４ｃは一端がダイオード４４ｂのアノードと接続され、他端がグランドと接続されている。
第２の固定抵抗４４ｄは一端がダイオード４４ｂのアノードと接続され、他端がＦＥＴ９ａ，１１ａのゲートと接続されている。
【００４６】
次に動作について説明する。
バイアス回路４１〜４４におけるダイオード４１ｃ，４２ｃ，４３ｂ，４４ｂは、図１４に示すように、あるバイアス電圧において、直流的には抵抗とみなすことができる。
図１４において、ダイオード４１ｃ，４２ｃ，４３ｂ，４４ｂの電流−電圧特性を示すカーブの接線の傾きが、ダイオード４１ｃ，４２ｃ，４３ｂ，４４ｂが呈する抵抗値になる。
【００４７】
バイアス電圧が固定である場合において、温度が変化すると、ダイオード４１ｃ，４２ｃ，４３ｂ，４４ｂの電流−電圧特性を示すカーブは変化する。
一般に、温度が上昇すると、図１５に示すように、電流が上昇する方向にカーブが変化し、ダイオード４１ｃ，４２ｃ，４３ｂ，４４ｂが呈する抵抗値が低下する。
ここで、図１６はＦＥＴ６ｃ，７ｃ，８ａ〜１１ａの電流−電圧特性を示すグラフ図であり、ＦＥＴ６ｃ，７ｃ，８ａ〜１１ａは、バイアス回路４１〜４４により印加されるゲート電圧（バイアス電圧）を連続的に変化させた場合、可変抵抗とみなすことができる。
【００４８】
正の温度勾配を有しているバイアス回路４１，４２は次のように動作する。
バイアス回路４１，４２の固定電圧源４１ａ，４２ａが、ある温度において、固定電圧を供給すると、その固定電圧が第１の固定抵抗４１ｂ，４２ｂとダイオード４１ｃ，４２ｃが呈する抵抗によって分圧され、その分圧された電圧がバイアス電圧として、直列スイッチ抵抗６，７を構成するＦＥＴ６ｃ，７ｃのゲートに印加される。
このとき、温度が上昇すると、ダイオード４１ｃ，４２ｃが呈する抵抗値が低くなるので、電圧の分圧比が変動する。
例えば、固定電圧源４１ａ，４２ａから供給される固定電圧の電圧値が負の値である場合、温度上昇に伴ってバイアス電圧が上昇する。
したがって、直列スイッチ抵抗６，７を構成するＦＥＴ６ｃ，７ｃが呈する抵抗値は、温度上昇に伴って連続的に低下する。
【００４９】
負の温度勾配を有しているバイアス回路４３，４４は次のように動作する。
バイアス回路４３，４４の固定電圧源４３ａ，４４ａが、ある温度において、固定電圧を供給すると、その固定電圧がダイオード４３ｂ，４４ｂが呈する抵抗と第１の固定抵抗４３ｃ，４４ｃによって分圧され、その分圧された電圧がバイアス電圧として、並列スイッチであるＦＥＴ８ａ〜１１ａのゲートに印加される。
このとき、温度が上昇すると、ダイオード４３ｂ，４４ｂが呈する抵抗値が低くなるので、電圧の分圧比が変動する。
例えば、固定電圧源４３ａ，４４ａから供給される固定電圧の電圧値が負の値である場合、ダイオード４３ｂ，４３ｂと第１の固定抵抗４３ｃ，４４ｃの接続が、正の温度勾配を有しているバイアス回路４１，４２の第１の固定抵抗４１ｂ，４２ｂとダイオード４１ｃ，４２ｃの接続と逆であるため、温度上昇に伴ってバイアス電圧が低下する。
したがって、並列スイッチであるＦＥＴ８ａ〜１１ａが呈する抵抗値は、温度上昇に伴って連続的に上昇する。
【００５０】
このため、温度が十分に低いときは、直列スイッチ抵抗６，７を構成するＦＥＴ６ｃ，７ｃの抵抗が十分高い抵抗値を呈し、並列スイッチであるＦＥＴ８ａ〜１１ａの抵抗が十分低い抵抗値を呈する。
このとき、入出力端子１と入出力端子２間の減衰量が最大になる。
【００５１】
温度が十分に低い状態から温度の上昇が始まると、温度の上昇に伴って、直列スイッチ抵抗６，７を構成するＦＥＴ６ｃ，７ｃの抵抗値が徐々に低下し、並列スイッチであるＦＥＴ８ａ〜１１ａの抵抗値が徐々に上昇する。
その結果、温度が十分に低いときと比べて、入出力端子１と入出力端子２間の減衰量が低下する。なお、このときの減衰量の変化は連続的である。
【００５２】
以上で明らかなように、この実施の形態７によれば、正の温度勾配を有するバイアス回路４１，４２を直列スイッチ抵抗６，７を構成するＦＥＴ６ｃ，７ｃのゲートに接続し、負の温度勾配を有するバイアス回路４３，４４を並列スイッチであるＦＥＴ８ａ〜１１ａのゲートに接続するように構成したので、並列抵抗４の抵抗値、並列スイッチであるＦＥＴ８ａ〜１１ａの位置、直列抵抗３の抵抗値及び直列スイッチ抵抗６，７における抵抗６ｂ，７ｂの抵抗値を適宜決定すれば、連続的な減衰量を任意に定めることができる効果を奏する。
【００５３】
なお、この実施の形態７では、図１１の可変減衰器にバイアス回路４１〜４４を適用するものについて示したが、図１２の可変減衰器にバイアス回路を適用するようにしてもよい。
例えば、正の温度勾配を有しているバイアス回路４１を直列スイッチ抵抗２６，２８におけるＦＥＴ２６ｃ，２８ｃのゲートに接続するとともに、バイアス回路４２を直列スイッチ抵抗２７，２９におけるＦＥＴ２７ｃ，２９ｃのゲートに接続し、負の温度勾配を有しているバイアス回路４３を並列スイッチであるＦＥＴ３０ａ，３１ａのゲートに接続するようにすればよい。
【００５４】
実施の形態８．
図１７はこの発明の実施の形態８による可変減衰器を示す構成図であり、図において、図１３と同一符号は同一または相当部分を示すので説明を省略する。
図１３の可変減衰器の場合、バイアス回路４１，４２のダイオード４１ｃ，４２ｃのアノードがグランドと接続されているが、この実施の形態８では、そのグランドの代わりに、第２の固定電源４１ｆ，４２ｆを実装し、ダイオード４１ｅ，４２ｅを追加するようにしている。
即ち、ダイオード４１ｃ，４２ｃのアノードをダイオード４１ｅ，４２ｅのカソードと接続し、ダイオード４１ｅ，４２ｅのアノードを第２の固定電源４１ｆ，４２ｆと接続するようにしている。
【００５５】
また、図１３の可変減衰器の場合、第１の固定抵抗４３ｃ，４４ｃの他端がグランドと接続されているが、この実施の形態８では、そのグランドの代わりに、第２の固定電源４３ｆ，４４ｆを実装し、ダイオード４３ｅ，４４ｅを追加するようにしている。
即ち、第１の固定抵抗４３ｃ，４４ｃの他端を第２の固定電源４３ｆ，４４ｆと接続し、また、ダイオード４３ｅ，４４ｅのカソードをダイオード４３ｂ，４４ｂのアノードと接続するとともに、ダイオード４３ｅ，４４ｅのアノードを第１の固定抵抗４３ｃ，４４ｃの一端と接続するようにしている。
【００５６】
この実施の形態８によれば、バイアス回路４１〜４４が各々２つの固定電圧源を備えているので、温度変化に対して大きな減衰量の変化が得られる効果を奏する。
また、バイアス回路４１〜４４が各々２つのダイオードを備えているので、温度変化に対して大きな減衰量の変化が得られる効果を奏する。
【００５７】
なお、この実施の形態７では、バイアス回路４１〜４４が各々２つのダイオードを備えるものについて示したが、３つ以上のダイオードを備えるようにしてもよい。
【００５８】
実施の形態９．
図１８はこの発明の実施の形態９による可変減衰器を示す構成図であり、図において、図１と同一符号は同一または相当部分を示すので説明を省略する。
直列スイッチ抵抗７はスイッチ７ａ、抵抗７ｂ及びキャパシタ７ｅの直列回路から構成されており、直列抵抗３と並列に接続されている。
【００５９】
次に動作について説明する。
直列スイッチ抵抗６，７は、スイッチ６ａ，７ａがオンしている状態では、有限の抵抗値を呈する抵抗として動作する。
一方、スイッチ６ａ，７ａがオフしている状態では、無限大の抵抗値を呈する抵抗として動作する。
図１８の可変減衰器は、直列スイッチ抵抗６，７におけるスイッチ６ａ，７ａの開閉状態に応じて、３つの状態を有する。
【００６０】
可変減衰器の第１の状態は、図１９に示すように、スイッチ６ａ，７ａがオフ、並列スイッチ８，１０がオン、並列スイッチ９，１１がオフしている状態である。
第１の状態では、入出力端子１と入出力端子２間の直列抵抗の抵抗値が、直列抵抗３の抵抗値となり、減衰量が最大になる。
なお、第１の状態では、並列抵抗４における抵抗４ａの他端の位置で接地され、また、並列抵抗５における抵抗５ａの他端の位置で接地される。
【００６１】
可変減衰器の第２の状態は、図２０に示すように、スイッチ６ａがオン，スイッチ７ａがオフ、並列スイッチ８，１０がオフ、並列スイッチ９，１１がオンしている状態である。
第２の状態では、入出力端子１と入出力端子２間の直列抵抗の抵抗値が、直列スイッチ抵抗６における抵抗６ｂと直列抵抗３の並列抵抗値となり、減衰量が第１の状態と比べて低くなる。
なお、第２の状態では、並列抵抗４における抵抗４ｂの他端の位置で接地され、また、並列抵抗５における抵抗５ｂの他端の位置で接地される。
【００６２】
可変減衰器の第３の状態は、図２１に示すように、スイッチ６ａ，７ａがオン、並列スイッチ８〜１１がオフしている状態である。
第３の状態では、入出力端子１と入出力端子２間の直列抵抗の抵抗値が、直列スイッチ抵抗６における抵抗６ｂと、直列スイッチ抵抗７における抵抗７ｂと、直列抵抗３との並列抵抗値となり、減衰量が最小になる。
なお、第３の状態では、並列抵抗４における抵抗４ｃの他端の位置で接地され、また、並列抵抗５における抵抗５ｃの他端の位置で接地される。
このとき、直列スイッチ抵抗７はキャパシタ７ｅを備えているため，第１及び第２の状態と比べて通過位相が進む。
【００６３】
以上で明らかなように、この実施の形態９によれば、スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成したので、スイッチ６ａ，７ａ及び並列スイッチ８〜１１を適宜切り換えるだけで、所望の減衰量を得ることができる効果を奏する。
また、キャパシタ７ｅの値を任意に選ぶことで、所望の通過位相を得ることができる効果を奏する。
【００６４】
なお、この実施の形態９では、直列抵抗３と並列に接続する直列スイッチ抵抗の個数が２つであり、並列抵抗４，５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００６５】
実施の形態１０．
図２２はこの発明の実施の形態１０による可変減衰器を示す構成図であり、図において、図１８と同一符号は同一または相当部分を示すので説明を省略する。
並列抵抗４は抵抗４ａ，４ｂ，４ｃ及びインダクタ４ｄの直列回路から構成されており、一端が入出力端子１と接続され、他端がグランドと接続されている。
並列抵抗５は抵抗５ａ，５ｂ，５ｃ及びインダクタ５ｄの直列回路から構成されており、一端が入出力端子２と接続され、他端がグランドと接続されている。
【００６６】
次に動作について説明する。
直列スイッチ抵抗６，７は、スイッチ６ａ，７ａがオンしている状態では、有限の抵抗値を呈する抵抗として動作する。
一方、スイッチ６ａ，７ａがオフしている状態では、無限大の抵抗値を呈する抵抗として動作する。
図２２の可変減衰器は、直列スイッチ抵抗６，７におけるスイッチ６ａ，７ａの開閉状態に応じて、３つの状態を有する。
【００６７】
可変減衰器の第１の状態は、図２３に示すように、スイッチ６ａ，７ａがオフ、並列スイッチ８，１０がオン、並列スイッチ９，１１がオフしている状態である。
第１の状態では、入出力端子１と入出力端子２間の直列抵抗の抵抗値が、直列抵抗３の抵抗値となり、減衰量が最大になる。
なお、第１の状態では、並列抵抗４における抵抗４ａの他端の位置で接地され、また、並列抵抗５における抵抗５ａの他端の位置で接地される。
【００６８】
可変減衰器の第２の状態は、図２４に示すように、スイッチ６ａがオン，スイッチ７ａがオフ、並列スイッチ８，１０がオフ、並列スイッチ９，１１がオンしている状態である。
第２の状態では、入出力端子１と入出力端子２間の直列抵抗の抵抗値が、直列スイッチ抵抗６における抵抗６ｂと直列抵抗３の並列抵抗値となり、減衰量が第１の状態と比べて低くなる。
なお、第２の状態では、並列抵抗４における抵抗４ｂの他端の位置で接地され、また、並列抵抗５における抵抗５ｂの他端の位置で接地される。
【００６９】
可変減衰器の第３の状態は、図２５に示すように、スイッチ６ａ，７ａがオン、並列スイッチ８〜１１がオフしている状態である。
第３の状態では、入出力端子１と入出力端子２間の直列抵抗の抵抗値が、直列スイッチ抵抗６における抵抗６ｂと、直列スイッチ抵抗７における抵抗７ｂと、直列抵抗３との並列抵抗値となり、減衰量が最小になる。
なお、第３の状態では、並列抵抗４における抵抗４ｃの他端の位置で接地され、また、並列抵抗５における抵抗５ｃの他端の位置で接地される。
このとき、直列スイッチ抵抗７はキャパシタ７ｅを備え、並列抵抗４，５はインダクタ４ｄ，５ｄを備えているため、第１及び第２の状態と比べて通過位相が進む。
【００７０】
以上で明らかなように、この実施の形態１０によれば、スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成したので、スイッチ６ａ，７ａ及び並列スイッチ８〜１１を適宜切り換えるだけで、所望の減衰量を得ることができる効果を奏する。
また、キャパシタ７ｅ及びインダクタ４ｄ，５ｄの値を任意に選ぶことで、所望の通過位相を得ることができる効果を奏する。
【００７１】
なお、この実施の形態１０では、直列抵抗３と並列に接続する直列スイッチ抵抗の個数が２つであり、並列抵抗４，５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００７２】
実施の形態１１．
図２６はこの発明の実施の形態１１による可変減衰器を示す構成図であり、図において、図１と同一符号は同一または相当部分を示すので説明を省略する。
直列スイッチ抵抗７はスイッチ７ａ、抵抗７ｂ及びインダクタ７ｆの直列回路から構成されており、直列抵抗３と並列に接続されている。
【００７３】
次に動作について説明する。
直列スイッチ抵抗６，７は、スイッチ６ａ，７ａがオンしている状態では、有限の抵抗値を呈する抵抗として動作する。
一方、スイッチ６ａ，７ａがオフしている状態では、無限大の抵抗値を呈する抵抗として動作する。
図２６の可変減衰器は、直列スイッチ抵抗６，７におけるスイッチ６ａ，７ａの開閉状態に応じて、３つの状態を有する。
【００７４】
可変減衰器の第１の状態は、図２７に示すように、スイッチ６ａ，７ａがオフ、並列スイッチ８，１０がオン、並列スイッチ９，１１がオフしている状態である。
第１の状態では、入出力端子１と入出力端子２間の直列抵抗の抵抗値が、直列抵抗３の抵抗値となり、減衰量が最大になる。
なお、第１の状態では、並列抵抗４における抵抗４ａの他端の位置で接地され、また、並列抵抗５における抵抗５ａの他端の位置で接地される。
【００７５】
可変減衰器の第２の状態は、図２８に示すように、スイッチ６ａがオン，スイッチ７ａがオフ、並列スイッチ８，１０がオフ、並列スイッチ９，１１がオンしている状態である。
第２の状態では、入出力端子１と入出力端子２間の直列抵抗の抵抗値が、直列スイッチ抵抗６における抵抗６ｂと直列抵抗３の並列抵抗値となり、減衰量が第１の状態と比べて低くなる。
なお、第２の状態では、並列抵抗４における抵抗４ｂの他端の位置で接地され、また、並列抵抗５における抵抗５ｂの他端の位置で接地される。
【００７６】
可変減衰器の第３の状態は、図２９に示すように、スイッチ６ａ，７ａがオン、並列スイッチ８〜１１がオフしている状態である。
第３の状態では、入出力端子１と入出力端子２間の直列抵抗の抵抗値が、直列スイッチ抵抗６における抵抗６ｂと、直列スイッチ抵抗７における抵抗７ｂと、直列抵抗３との並列抵抗値となり、減衰量が最小になる。
なお、第３の状態では、並列抵抗４における抵抗４ｃの他端の位置で接地され、また、並列抵抗５における抵抗５ｃの他端の位置で接地される。
このとき、直列スイッチ抵抗７はインダクタ７ｆを備えているため，第１及び第２の状態と比べて通過位相が遅れる。
【００７７】
以上で明らかなように、この実施の形態１１によれば、スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成したので、スイッチ６ａ，７ａ及び並列スイッチ８〜１１を適宜切り換えるだけで、所望の減衰量を得ることができる効果を奏する。
また、インダクタ７ｆの値を任意に選ぶことで、所望の通過位相を得ることができる効果を奏する。
【００７８】
なお、この実施の形態１１では、直列抵抗３と並列に接続する直列スイッチ抵抗の個数が２つであり、並列抵抗４，５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００７９】
実施の形態１２．
図３０はこの発明の実施の形態１２による可変減衰器を示す構成図であり、図において、図２６と同一符号は同一または相当部分を示すので説明を省略する。
並列抵抗４は抵抗４ａ，４ｂ，４ｃ及びキャパシタ４ｅの直列回路から構成されており、一端が入出力端子１と接続され、他端がグランドと接続されている。
並列抵抗５は抵抗５ａ，５ｂ，５ｃ及びキャパシタ５ｅの直列回路から構成されており、一端が入出力端子２と接続され、他端がグランドと接続されている。
【００８０】
次に動作について説明する。
直列スイッチ抵抗６，７は、スイッチ６ａ，７ａがオンしている状態では、有限の抵抗値を呈する抵抗として動作する。
一方、スイッチ６ａ，７ａがオフしている状態では、無限大の抵抗値を呈する抵抗として動作する。
図３０の可変減衰器は、直列スイッチ抵抗６，７におけるスイッチ６ａ，７ａの開閉状態に応じて、３つの状態を有する。
【００８１】
可変減衰器の第１の状態は、図３１に示すように、スイッチ６ａ，７ａがオフ、並列スイッチ８，１０がオン、並列スイッチ９，１１がオフしている状態である。
第１の状態では、入出力端子１と入出力端子２間の直列抵抗の抵抗値が、直列抵抗３の抵抗値となり、減衰量が最大になる。
なお、第１の状態では、並列抵抗４における抵抗４ａの他端の位置で接地され、また、並列抵抗５における抵抗５ａの他端の位置で接地される。
【００８２】
可変減衰器の第２の状態は、図３２に示すように、スイッチ６ａがオン，スイッチ７ａがオフ、並列スイッチ８，１０がオフ、並列スイッチ９，１１がオンしている状態である。
第２の状態では、入出力端子１と入出力端子２間の直列抵抗の抵抗値が、直列スイッチ抵抗６における抵抗６ｂと直列抵抗３の並列抵抗値となり、減衰量が第１の状態と比べて低くなる。
なお、第２の状態では、並列抵抗４における抵抗４ｂの他端の位置で接地され、また、並列抵抗５における抵抗５ｂの他端の位置で接地される。
【００８３】
可変減衰器の第３の状態は、図３３に示すように、スイッチ６ａ，７ａがオン、並列スイッチ８〜１１がオフしている状態である。
第３の状態では、入出力端子１と入出力端子２間の直列抵抗の抵抗値が、直列スイッチ抵抗６における抵抗６ｂと、直列スイッチ抵抗７における抵抗７ｂと、直列抵抗３との並列抵抗値となり、減衰量が最小になる。
なお、第３の状態では、並列抵抗４における抵抗４ｃの他端の位置で接地され、また、並列抵抗５における抵抗５ｃの他端の位置で接地される。
このとき、直列スイッチ抵抗７はインダクタ７ｆを備え、並列抵抗４，５はキャパシタ４ｅ，５ｅを備えているため、第１及び第２の状態と比べて通過位相が遅れる。
【００８４】
以上で明らかなように、この実施の形態１２によれば、スイッチ６ａと抵抗６ｂが直列に接続されている直列スイッチ抵抗６と、スイッチ７ａと抵抗７ｂが直列に接続されている直列スイッチ抵抗７とを直列抵抗３と並列に接続するとともに、並列抵抗４，５の途中に並列スイッチ８〜１１を接続するように構成したので、スイッチ６ａ，７ａ及び並列スイッチ８〜１１を適宜切り換えるだけで、所望の減衰量を得ることができる効果を奏する。
また、インダクタ７ｆ及びキャパシタ４ｅ，５ｅの値を任意に選ぶことで、所望の通過位相を得ることができる効果を奏する。
【００８５】
なお、この実施の形態１２では、直列抵抗３と並列に接続する直列スイッチ抵抗の個数が２つであり、並列抵抗４，５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００８６】
実施の形態１３．
図３４はこの発明の実施の形態１３による可変減衰器を示す構成図であり、図において、図５と同一符号は同一または相当部分を示すので説明を省略する。
直列スイッチ抵抗２７はスイッチ２７ａ、抵抗２７ｂ及びキャパシタ２７ｅの直列回路から構成されており、直列抵抗２３と並列に接続されている。
直列スイッチ抵抗２９はスイッチ２９ａ、抵抗２９ｂ及びキャパシタ２９ｅの直列回路から構成されており、直列抵抗２４と並列に接続されている。
【００８７】
次に動作について説明する。
図３４の可変減衰器は、直列スイッチ抵抗２６〜２９におけるスイッチ２６ａ，２７ａ，２８ａ，２９ａの開閉状態に応じて、３つの状態を有する。
【００８８】
可変減衰器の第１の状態は、図３５に示すように、スイッチ２６ａ，２７ａ，２８ａ，２９ａがオフ、並列スイッチ３０がオン、並列スイッチ３１がオフしている状態である。
第１の状態では、入出力端子２１と入出力端子２２間の直列抵抗の抵抗値が、直列抵抗２３の抵抗値と直列抵抗２４の抵抗値との和になり、減衰量が最大になる。
なお、第１の状態では、並列抵抗２５における抵抗２５ａの他端の位置で接地される。
【００８９】
可変減衰器の第２の状態は、図３６に示すように、スイッチ２６ａ，２８ａがオン、スイッチ２７ａ，２９ａがオフ、並列スイッチ３０がオフ、並列スイッチ３１がオンしている状態である。
第２の状態では、入出力端子２１と入出力端子２２間の直列抵抗の抵抗値が、直列スイッチ抵抗２６における抵抗２６ｂと直列抵抗２３の並列抵抗値と、直列スイッチ抵抗２８における抵抗２８ｂと直列抵抗２４の並列抵抗値との和になり、減衰量が第１の状態と比べて低くなる。
なお、第２の状態では、並列抵抗２５における抵抗２５ｂの他端の位置で接地される。
【００９０】
可変減衰器の第３の状態は、図３７に示すように、スイッチ２６ａ，２７ａ，２８ａ，２９ａがオン、並列スイッチ３０，３１がオフしている状態である。
第３の状態では、入出力端子２１と入出力端子２２間の直列抵抗の抵抗値が、直列スイッチ抵抗２６における抵抗２６ｂ、直列スイッチ抵抗２７における抵抗２７ｂ及び直列抵抗２３の並列抵抗値と、直列スイッチ抵抗２８における抵抗２８ｂ、直列スイッチ抵抗２９における抵抗２９ｂ及び直列抵抗２４の並列抵抗値との和になり、減衰量が最小になる。
なお、第３の状態では、並列抵抗２５における抵抗２５ｃの他端の位置で接地される。
このとき、直列スイッチ抵抗２７，２９はキャパシタ２７ｅ，２９ｅを備えているため、第１及び第２の状態と比べて通過位相が進む。
【００９１】
以上で明らかなように、この実施の形態１３によれば、スイッチ２６ａと抵抗２６ｂが直列に接続されている直列スイッチ抵抗２６と、スイッチ２７ａと抵抗２７ｂが直列に接続されている直列スイッチ抵抗２７とを直列抵抗２３と並列に接続するとともに、スイッチ２８ａと抵抗２８ｂが直列に接続されている直列スイッチ抵抗２８と、スイッチ２９ａと抵抗２９ｂが直列に接続されている直列スイッチ抵抗２９とを直列抵抗２４と並列に接続し、また、並列抵抗２５の途中に並列スイッチ３０，３１を接続するように構成したので、スイッチ２６ａ，２７ａ，２８ａ，２９ａ及び並列スイッチ３０，３１を適宜切り換えるだけで、所望の減衰量を得ることができる効果を奏する。
また、キャパシタ２７ｅ，２９ｅの値を任意に選ぶことで、所望の通過位相を得ることができる効果を奏する。
【００９２】
なお、この実施の形態１３では、直列抵抗２３，２４と並列に接続する直列スイッチ抵抗の個数が２つであり、並列抵抗２５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【００９３】
実施の形態１４．
図３８はこの発明の実施の形態１４による可変減衰器を示す構成図であり、図において、図３４と同一符号は同一または相当部分を示すので説明を省略する。
並列抵抗２５は抵抗２５ａ，２５ｂ，２５ｃ及びインダクタ２５ｄの直列回路から構成されており、一端が直列抵抗２３の他端と接続され、他端がグランドと接続されている。
【００９４】
次に動作について説明する。
図３８の可変減衰器は、直列スイッチ抵抗２６〜２９におけるスイッチ２６ａ，２７ａ，２８ａ，２９ａの開閉状態に応じて、３つの状態を有する。
【００９５】
可変減衰器の第１の状態は、図３９に示すように、スイッチ２６ａ，２７ａ，２８ａ，２９ａがオフ、並列スイッチ３０がオン、並列スイッチ３１がオフしている状態である。
第１の状態では、入出力端子２１と入出力端子２２間の直列抵抗の抵抗値が、直列抵抗２３の抵抗値と直列抵抗２４の抵抗値との和になり、減衰量が最大になる。
なお、第１の状態では、並列抵抗２５における抵抗２５ａの他端の位置で接地される。
【００９６】
可変減衰器の第２の状態は、図４０に示すように、スイッチ２６ａ，２８ａがオン、スイッチ２７ａ，２９ａがオフ、並列スイッチ３０がオフ、並列スイッチ３１がオンしている状態である。
第２の状態では、入出力端子２１と入出力端子２２間の直列抵抗の抵抗値が、直列スイッチ抵抗２６における抵抗２６ｂと直列抵抗２３の並列抵抗値と、直列スイッチ抵抗２８における抵抗２８ｂと直列抵抗２４の並列抵抗値との和になり、減衰量が第１の状態と比べて低くなる。
なお、第２の状態では、並列抵抗２５における抵抗２５ｂの他端の位置で接地される。
【００９７】
可変減衰器の第３の状態は、図４１に示すように、スイッチ２６ａ，２７ａ，２８ａ，２９ａがオン、並列スイッチ３０，３１がオフしている状態である。
第３の状態では、入出力端子２１と入出力端子２２間の直列抵抗の抵抗値が、直列スイッチ抵抗２６における抵抗２６ｂ、直列スイッチ抵抗２７における抵抗２７ｂ及び直列抵抗２３の並列抵抗値と、直列スイッチ抵抗２８における抵抗２８ｂ、直列スイッチ抵抗２９における抵抗２９ｂ及び直列抵抗２４の並列抵抗値との和になり、減衰量が最小になる。
なお、第３の状態では、並列抵抗２５における抵抗２５ｃの他端の位置で接地される。
このとき、直列スイッチ抵抗２７，２９はキャパシタ２７ｅ，２９ｅを備え、並列抵抗２５はインダクタ２５ｄを備えているため、第１及び第２の状態と比べて通過位相が進む。
【００９８】
以上で明らかなように、この実施の形態１４によれば、スイッチ２６ａと抵抗２６ｂが直列に接続されている直列スイッチ抵抗２６と、スイッチ２７ａと抵抗２７ｂが直列に接続されている直列スイッチ抵抗２７とを直列抵抗２３と並列に接続するとともに、スイッチ２８ａと抵抗２８ｂが直列に接続されている直列スイッチ抵抗２８と、スイッチ２９ａと抵抗２９ｂが直列に接続されている直列スイッチ抵抗２９とを直列抵抗２４と並列に接続し、また、並列抵抗２５の途中に並列スイッチ３０，３１を接続するように構成したので、スイッチ２６ａ，２７ａ，２８ａ，２９ａ及び並列スイッチ３０，３１を適宜切り換えるだけで、所望の減衰量を得ることができる効果を奏する。
また、キャパシタ２７ｅ，２９ｅ及びインダクタ２５ｄの値を任意に選ぶことで、所望の通過位相を得ることができる効果を奏する。
【００９９】
なお、この実施の形態１４では、直列抵抗２３，２４と並列に接続する直列スイッチ抵抗の個数が２つであり、並列抵抗２５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【０１００】
実施の形態１５．
図４２はこの発明の実施の形態１５による可変減衰器を示す構成図であり、図において、図５と同一符号は同一または相当部分を示すので説明を省略する。
直列スイッチ抵抗２７はスイッチ２７ａ、抵抗２７ｂ及びインダクタ２７ｆの直列回路から構成されており、直列抵抗２３と並列に接続されている。
直列スイッチ抵抗２９はスイッチ２９ａ、抵抗２９ｂ及びインダクタ２９ｆの直列回路から構成されており、直列抵抗２４と並列に接続されている。
【０１０１】
次に動作について説明する。
図４２の可変減衰器は、直列スイッチ抵抗２６〜２９におけるスイッチ２６ａ，２７ａ，２８ａ，２９ａの開閉状態に応じて、３つの状態を有する。
【０１０２】
可変減衰器の第１の状態は、図４３に示すように、スイッチ２６ａ，２７ａ，２８ａ，２９ａがオフ、並列スイッチ３０がオン、並列スイッチ３１がオフしている状態である。
第１の状態では、入出力端子２１と入出力端子２２間の直列抵抗の抵抗値が、直列抵抗２３の抵抗値と直列抵抗２４の抵抗値との和になり、減衰量が最大になる。
なお、第１の状態では、並列抵抗２５における抵抗２５ａの他端の位置で接地される。
【０１０３】
可変減衰器の第２の状態は、図４４に示すように、スイッチ２６ａ，２８ａがオン、スイッチ２７ａ，２９ａがオフ、並列スイッチ３０がオフ、並列スイッチ３１がオンしている状態である。
第２の状態では、入出力端子２１と入出力端子２２間の直列抵抗の抵抗値が、直列スイッチ抵抗２６における抵抗２６ｂと直列抵抗２３の並列抵抗値と、直列スイッチ抵抗２８における抵抗２８ｂと直列抵抗２４の並列抵抗値との和になり、減衰量が第１の状態と比べて低くなる。
なお、第２の状態では、並列抵抗２５における抵抗２５ｂの他端の位置で接地される。
【０１０４】
可変減衰器の第３の状態は、図４５に示すように、スイッチ２６ａ，２７ａ，２８ａ，２９ａがオン、並列スイッチ３０，３１がオフしている状態である。
第３の状態では、入出力端子２１と入出力端子２２間の直列抵抗の抵抗値が、直列スイッチ抵抗２６における抵抗２６ｂ、直列スイッチ抵抗２７における抵抗２７ｂ及び直列抵抗２３の並列抵抗値と、直列スイッチ抵抗２８における抵抗２８ｂ、直列スイッチ抵抗２９における抵抗２９ｂ及び直列抵抗２４の並列抵抗値との和になり、減衰量が最小になる。
なお、第３の状態では、並列抵抗２５における抵抗２５ｃの他端の位置で接地される。
このとき、直列スイッチ抵抗２７，２９はインダクタ２７ｆ，２９ｆを備えているため、第１及び第２の状態と比べて通過位相が遅れる。
【０１０５】
以上で明らかなように、この実施の形態１５によれば、スイッチ２６ａと抵抗２６ｂが直列に接続されている直列スイッチ抵抗２６と、スイッチ２７ａと抵抗２７ｂが直列に接続されている直列スイッチ抵抗２７とを直列抵抗２３と並列に接続するとともに、スイッチ２８ａと抵抗２８ｂが直列に接続されている直列スイッチ抵抗２８と、スイッチ２９ａと抵抗２９ｂが直列に接続されている直列スイッチ抵抗２９とを直列抵抗２４と並列に接続し、また、並列抵抗２５の途中に並列スイッチ３０，３１を接続するように構成したので、スイッチ２６ａ，２７ａ，２８ａ，２９ａ及び並列スイッチ３０，３１を適宜切り換えるだけで、所望の減衰量を得ることができる効果を奏する。
また、インダクタ２７ｆ，２９ｆの値を任意に選ぶことで、所望の通過位相を得ることができる効果を奏する。
【０１０６】
なお、この実施の形態１５では、直列抵抗２３，２４と並列に接続する直列スイッチ抵抗の個数が２つであり、並列抵抗２５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【０１０７】
実施の形態１６．
図４６はこの発明の実施の形態１６による可変減衰器を示す構成図であり、図において、図４２と同一符号は同一または相当部分を示すので説明を省略する。
並列抵抗２５は抵抗２５ａ，２５ｂ，２５ｃ及びキャパシタ２５ｅの直列回路から構成されており、一端が直列抵抗２３の他端と接続され、他端がグランドと接続されている。
【０１０８】
次に動作について説明する。
図４６の可変減衰器は、直列スイッチ抵抗２６〜２９におけるスイッチ２６ａ，２７ａ，２８ａ，２９ａの開閉状態に応じて、３つの状態を有する。
【０１０９】
可変減衰器の第１の状態は、図４７に示すように、スイッチ２６ａ，２７ａ，２８ａ，２９ａがオフ、並列スイッチ３０がオン、並列スイッチ３１がオフしている状態である。
第１の状態では、入出力端子２１と入出力端子２２間の直列抵抗の抵抗値が、直列抵抗２３の抵抗値と直列抵抗２４の抵抗値との和になり、減衰量が最大になる。
なお、第１の状態では、並列抵抗２５における抵抗２５ａの他端の位置で接地される。
【０１１０】
可変減衰器の第２の状態は、図４８に示すように、スイッチ２６ａ，２８ａがオン、スイッチ２７ａ，２９ａがオフ、並列スイッチ３０がオフ、並列スイッチ３１がオンしている状態である。
第２の状態では、入出力端子２１と入出力端子２２間の直列抵抗の抵抗値が、直列スイッチ抵抗２６における抵抗２６ｂと直列抵抗２３の並列抵抗値と、直列スイッチ抵抗２８における抵抗２８ｂと直列抵抗２４の並列抵抗値との和になり、減衰量が第１の状態と比べて低くなる。
なお、第２の状態では、並列抵抗２５における抵抗２５ｂの他端の位置で接地される。
【０１１１】
可変減衰器の第３の状態は、図４９に示すように、スイッチ２６ａ，２７ａ，２８ａ，２９ａがオン、並列スイッチ３０，３１がオフしている状態である。
第３の状態では、入出力端子２１と入出力端子２２間の直列抵抗の抵抗値が、直列スイッチ抵抗２６における抵抗２６ｂ、直列スイッチ抵抗２７における抵抗２７ｂ及び直列抵抗２３の並列抵抗値と、直列スイッチ抵抗２８における抵抗２８ｂ、直列スイッチ抵抗２９における抵抗２９ｂ及び直列抵抗２４の並列抵抗値との和になり、減衰量が最小になる。
なお、第３の状態では、並列抵抗２５における抵抗２５ｃの他端の位置で接地される。
このとき、直列スイッチ抵抗２７，２９はインダクタ２７ｆ，２ｆ及びキャパシタ２５ｅを備えているため、第１及び第２の状態と比べて通過位相が遅れる。
【０１１２】
以上で明らかなように、この実施の形態１６によれば、スイッチ２６ａと抵抗２６ｂが直列に接続されている直列スイッチ抵抗２６と、スイッチ２７ａと抵抗２７ｂが直列に接続されている直列スイッチ抵抗２７とを直列抵抗２３と並列に接続するとともに、スイッチ２８ａと抵抗２８ｂが直列に接続されている直列スイッチ抵抗２８と、スイッチ２９ａと抵抗２９ｂが直列に接続されている直列スイッチ抵抗２９とを直列抵抗２４と並列に接続し、また、並列抵抗２５の途中に並列スイッチ３０，３１を接続するように構成したので、スイッチ２６ａ，２７ａ，２８ａ，２９ａ及び並列スイッチ３０，３１を適宜切り換えるだけで、所望の減衰量を得ることができる効果を奏する。
また、インダクタ２７ｆ，２９ｆ及びキャパシタ２５ｅの値を任意に選ぶことで、所望の通過位相を得ることができる効果を奏する。
【０１１３】
なお、この実施の形態１６では、直列抵抗２３，２４と並列に接続する直列スイッチ抵抗の個数が２つであり、並列抵抗２５の途中に接続する並列スイッチの個数が２つであるものについて示したが、これに限るものではなく、直列スイッチ抵抗や並列スイッチをそれぞれ３つ以上接続するようにしてもよい。また、直列スイッチ抵抗や並列スイッチをそれぞれ１つ接続するようにしてもよい。
言うまでもないが、直列スイッチ抵抗や並列スイッチを接続する個数が多くなれば、実現できる減衰量の数が増える。
【図面の簡単な説明】
【０１１４】
【図１】この発明の実施の形態１による可変減衰器を示す構成図である。
【図２】この発明の実施の形態１による可変減衰器の第１の状態を示す説明図である。
【図３】この発明の実施の形態１による可変減衰器の第２の状態を示す説明図である。
【図４】この発明の実施の形態１による可変減衰器の第３の状態を示す説明図である。
【図５】この発明の実施の形態２による可変減衰器を示す構成図である。
【図６】この発明の実施の形態２による可変減衰器の第１の状態を示す説明図である。
【図７】この発明の実施の形態２による可変減衰器の第２の状態を示す説明図である。
【図８】この発明の実施の形態２による可変減衰器の第３の状態を示す説明図である。
【図９】この発明の実施の形態３による可変減衰器を示す構成図である。
【図１０】この発明の実施の形態４による可変減衰器を示す構成図である。
【図１１】この発明の実施の形態５による可変減衰器を示す構成図である。
【図１２】この発明の実施の形態６による可変減衰器を示す構成図である。
【図１３】この発明の実施の形態７による可変減衰器を示す構成図である。
【図１４】ダイオードの電流−電圧特性を示すグラフ図である。
【図１５】温度上昇に伴うダイオードの電流−電圧特性の変化を示すグラフ図である。
【図１６】ＦＥＴ６ｃ，７ｃ，８ａ〜１１ａの電流−電圧特性を示すグラフ図である。
【図１７】この発明の実施の形態８による可変減衰器を示す構成図である。
【図１８】この発明の実施の形態９による可変減衰器を示す構成図である。
【図１９】この発明の実施の形態９による可変減衰器の第１の状態を示す説明図である。
【図２０】この発明の実施の形態９による可変減衰器の第２の状態を示す説明図である。
【図２１】この発明の実施の形態９による可変減衰器の第３の状態を示す説明図である。
【図２２】この発明の実施の形態１０による可変減衰器を示す構成図である。
【図２３】この発明の実施の形態１０による可変減衰器の第１の状態を示す説明図である。
【図２４】この発明の実施の形態１０による可変減衰器の第２の状態を示す説明図である。
【図２５】この発明の実施の形態１０による可変減衰器の第３の状態を示す説明図である。
【図２６】この発明の実施の形態１１による可変減衰器を示す構成図である。
【図２７】この発明の実施の形態１１による可変減衰器の第１の状態を示す説明図である。
【図２８】この発明の実施の形態１１による可変減衰器の第２の状態を示す説明図である。
【図２９】この発明の実施の形態１１による可変減衰器の第３の状態を示す説明図である。
【図３０】この発明の実施の形態１２による可変減衰器を示す構成図である。
【図３１】この発明の実施の形態１２による可変減衰器の第１の状態を示す説明図である。
【図３２】この発明の実施の形態１２による可変減衰器の第２の状態を示す説明図である。
【図３３】この発明の実施の形態１２による可変減衰器の第３の状態を示す説明図である。
【図３４】この発明の実施の形態１３による可変減衰器を示す構成図である。
【図３５】この発明の実施の形態１３による可変減衰器の第１の状態を示す説明図である。
【図３６】この発明の実施の形態１３による可変減衰器の第２の状態を示す説明図である。
【図３７】この発明の実施の形態１３による可変減衰器の第３の状態を示す説明図である。
【図３８】この発明の実施の形態１４による可変減衰器を示す構成図である。
【図３９】この発明の実施の形態１４による可変減衰器の第１の状態を示す説明図である。
【図４０】この発明の実施の形態１４による可変減衰器の第２の状態を示す説明図である。
【図４１】この発明の実施の形態１４による可変減衰器の第３の状態を示す説明図である。
【図４２】この発明の実施の形態１５による可変減衰器を示す構成図である。
【図４３】この発明の実施の形態１５による可変減衰器の第１の状態を示す説明図である。
【図４４】この発明の実施の形態１５による可変減衰器の第２の状態を示す説明図である。
【図４５】この発明の実施の形態１５による可変減衰器の第３の状態を示す説明図である。
【図４６】この発明の実施の形態１６による可変減衰器を示す構成図である。
【図４７】この発明の実施の形態１６による可変減衰器の第１の状態を示す説明図である。
【図４８】この発明の実施の形態１６による可変減衰器の第２の状態を示す説明図である。
【図４９】この発明の実施の形態１６による可変減衰器の第３の状態を示す説明図である。
【符号の説明】
【０１１５】
１，２１  入出力端子（第１の入出力端子）、２，２２  入出力端子（第２の入出力端子）、３  直列抵抗、４  並列抵抗（第１の並列抵抗）、４ａ，４ｂ〜７ｂ，４ｃ，５ａ，５ｃ，２５ａ，２５ｂ〜２９ｂ，２５ｃ  抵抗、５  並列抵抗（第２の並列抵抗）、６，７  直列スイッチ抵抗、６ａ，７ａ，２６ａ〜２９ａ  スイッチ、６ｃ，７ｃ，８ａ〜１１ａ  ＦＥＴ（電界効果トランジスタ）、４ｄ〜７ｄ，７ｆ，８ｂ〜１１ｂ，２５ｄ〜２９ｄ，２７ｆ，２９ｆ，３０ｂ，３１ｂ  インダクタ、８，９  並列スイッチ（第１の並列スイッチ）、１０，１１  並列スイッチ（第２の並列スイッチ、２３  直列抵抗（第１の直列抵抗）、２４  直列抵抗（第２の直列抵抗）、２５  並列抵抗、２６，２７  直列スイッチ抵抗（第１の直列スイッチ抵抗）、２６ｃ〜２９ｃ，３０ａ，３１ａ  ＦＥＴ、２８，２９  直列スイッチ抵抗（第２の直列スイッチ抵抗）、３０，３１  並列スイッチ、４１〜４４  バイアス回路、４１ａ〜４４ａ  固定電圧源、４１ｂ，４２ｂ，４３ｃ，４４ｃ  第１の固定抵抗、４１ｃ，４１ｅ〜４４ｅ，４２ｃ，４３ｂ，４４ｂ  ダイオード、４１ｄ〜４４ｄ  第２の固定抵抗、４１ｆ〜４４ｆ  第２の固定電源。
【図１】
2008206129.tif 000003
【図２】
2008206129.tif 000004
【図３】
2008206129.tif 000005
【図４】
2008206129.tif 000006
【図５】
2008206129.tif 000007
【図６】
2008206129.tif 000008
【図７】
2008206129.tif 000009
【図８】
2008206129.tif 000010
【図９】
2008206129.tif 000011
【図１０】
2008206129.tif 000012
【図１１】
2008206129.tif 000013
【図１２】
2008206129.tif 000014
【図１３】
2008206129.tif 000015
【図１４】
2008206129.tif 000016
【図１５】
2008206129.tif 000017
【図１６】
2008206129.tif 000018
【図１７】
2008206129.tif 000019
【図１８】
2008206129.tif 000020
【図１９】
2008206129.tif 000021
【図２０】
2008206129.tif 000022
【図２１】
2008206129.tif 000023
【図２２】
2008206129.tif 000024
【図２３】
2008206129.tif 000025
【図２４】
2008206129.tif 000026
【図２５】
2008206129.tif 000027
【図２６】
2008206129.tif 000028
【図２７】
2008206129.tif 000029
【図２８】
2008206129.tif 000030
【図２９】
2008206129.tif 000031
【図３０】
2008206129.tif 000032
【図３１】
2008206129.tif 000033
【図３２】
2008206129.tif 000034
【図３３】
2008206129.tif 000035
【図３４】
2008206129.tif 000036
【図３５】
2008206129.tif 000037
【図３６】
2008206129.tif 000038
【図３７】
2008206129.tif 000039
【図３８】
2008206129.tif 000040
【図３９】
2008206129.tif 000041
【図４０】
2008206129.tif 000042
【図４１】
2008206129.tif 000043
【図４２】
2008206129.tif 000044
【図４３】
2008206129.tif 000045
【図４４】
2008206129.tif 000046
【図４５】
2008206129.tif 000047
【図４６】
2008206129.tif 000048
【図４７】
2008206129.tif 000049
【図４８】
2008206129.tif 000050
【図４９】
2008206129.tif 000051